【手続補正書】
【提出日】平成18年10月17日(2006.10.17)
【手続補正１】
【補正対象書類名】明細書
【補正対象項目名】特許請求の範囲
【補正方法】変更
【補正の内容】
【特許請求の範囲】
【請求項１】  有機カーボネートブロックとアリーレートブロックとを交互に含むブロックコポリエステルカーボネートであって、前記アリーレートブロックが、少なくとも１種の１，３−ジヒドロキシベンゼン分子部分と少なくとも１種の芳香族ジカルボン酸とから誘導されるアリーレート構造単位を含み少なくとも４の重合度を有している、前記ブロックコポリエステルカーボネート。
【請求項２】  カーボネートブロックが、ビスフェノールＡカーボネートブロック、非置換レゾルシノールカーボネートブロックおよびこれらの混合物より成る群の中から選択される、請求項１記載のブロックコポリエステルカーボネート。
【請求項３】  カーボネートブロックの重合度が少なくとも３である、請求項１記載のブロックコポリエステルカーボネート。
【請求項４】  アリーレート構造単位が、イソフタレートもしくはテレフタレートまたはこれらの混合物と共に非置換レゾルシノールまたは置換レゾルシノールの少なくとも１種を含む、請求項１記載のブロックコポリエステルカーボネート。
【請求項５】  アリーレート構造単位がイソフタレートとテレフタレートの混合物である、請求項４記載のブロックコポリエステルカーボネート。
【請求項６】  アリーレート構造単位中のイソフタレート対テレフタレートのモル比が０．２５〜４．０：１の範囲である、請求項５記載のブロックコポリエステルカーボネート。
【請求項７】  アリーレートブロックの重合度が少なくとも１０である、請求項５記載のブロックコポリエステルカーボネート。
【請求項８】  １０〜９９重量％のアリーレートブロックを含む、請求項５記載のブロックコポリエステルカーボネート。
【請求項９】  有機カーボネートブロックとアリーレートブロックとを交互に含むブロックコポリエステルカーボネートであって、前記カーボネートブロックが、少なくとも３の重合度を有しビスフェノールＡから誘導される構造単位を含んでおり、前記アリーレートブロックが、少なくとも４の重合度を有し非置換レゾルシノールおよびイソフタレート対テレフタレートの比が０．２５〜４．０：１のイソフタレート残基とテレフタレート残基の混合物から誘導される構造単位を含んでいる、前記ブロックコポリエステルカーボネート。
【請求項１０】  式
【化１】
2004500442.tif 000001
（式中、各Ｒ1はそれぞれ独立してハロゲンまたはＣ1-4アルキルであり、各Ｒ2はそれぞれ独立して二価の有機基であり、ｐは０〜３であり、ｍは少なくとも３であり、ｎは少なくとも４である）の分子部分を含んでなるブロックコポリエステルカーボネート。
【請求項１１】  ｐが０であり、Ｒ2が２，２−ビス（４−フェニレン）プロパンもしくはｍ−フェニレンまたはこれらの混合物であり、ｎが少なくとも１０であり、ｍが少なくとも２０であり、前記コポリエステルカーボネートが０．２５〜４．０：１の範囲のイソフタレート対テレフタレートのモル比でイソフタレートエステル構造単位とテレフタレートエステル構造単位とを含んでいる、請求項１０記載のブロックコポリエステルカーボネート。
【請求項１２】  請求項１記載のブロックコポリエステルカーボネートのフリース転位によって得られるブロックコポリマー。
【請求項１３】  カーボネートブロックが、ビスフェノールＡカーボネートブロック、非置換レゾルシノールカーボネートブロックおよびこれらの混合物より成る群の中から選択される、請求項１２記載のブロックコポリマー。
【請求項１４】  カーボネートブロックの重合度が少なくとも１０である、請求項１２記載のブロックコポリマー。
【請求項１５】  アリーレートブロックがイソフタレート残基もしくはテレフタレート残基またはこれらの混合物を含む、請求項１２記載のブロックコポリエステルカーボネート。
【請求項１６】  アリーレートブロックがイソフタレート残基とテレフタレート残基の混合物から成る、請求項１５記載のブロックコポリエステルカーボネート。
【請求項１７】  アリーレートブロック中のイソフタレート対テレフタレートのモル比が０．２５〜４．０：１の範囲である、請求項１６記載のブロックコポリエステルカーボネート。
【請求項１８】  請求項１記載のブロックコポリエステルカーボネートと、ポリカーボネート、ポリ（アルキレンジカルボキシレート）、ポリアリーレート、ポリエーテルイミドおよび付加ポリマーより成る群の中から選択される少なくとも１種の他のポリマーとの樹脂ブレンドおよびその何らかの反応生成物を含んでなる組成物。
【請求項１９】  他のポリマーがポリカーボネートである、請求項１８記載の組成物。
【請求項２０】  ポリカーボネートが、コポリエステルカーボネート中のポリカーボネートブロックの構造単位からなる構造単位を含有する、請求項１９記載の組成物。
【請求項２１】  他のポリマーがビスフェノールＡポリカーボネートである、請求項１９記載の組成物。
【請求項２２】  他のポリマーがポリ（アルキレンジカルボキシレート）である、請求項１８記載の組成物。
【請求項２３】  他のポリマーが、ポリ（１，４−ブチレンテレフタレート）、ポリ（エチレンテレフタレート）、ポリ（１，４−ブチレンナフタレート）、ポリ（エチレンナフタレート）、ポリ（トリメチレンテレフタレート）、ポリ（シクロヘキサンジメタノールテレフタレート）、ポリ（シクロヘキサンジメタノール−コ−エチレンテレフタレート）、およびポリ（１，４−シクロヘキサンジメチル−１，４−シクロヘキサンジカルボキシレート）より成る群の中から選択される少なくとも１種である、請求項２２記載の組成物。
【請求項２４】  他のポリマーがポリ（エチレンテレフタレート）である、請求項２３記載の組成物。
【請求項２５】  他のポリマーがポリアリーレートである、請求項１８記載の組成物。
【請求項２６】  ポリアリーレートが、コポリエステルカーボネート中のポリアリーレートブロックの構造単位からなる構造単位を含有する、請求項２５記載の組成物。
【請求項２７】  ポリアリーレートが、コポリエステルカーボネート中のポリカーボネートブロックの構造単位からなる構造単位を含有する、請求項２５記載の組成物。
【請求項２８】  ビスフェノールＡポリカーボネートと、有機カーボネートブロックとアリーレートブロックとを交互に含むブロックコポリエステルカーボネートとの樹脂ブレンドを含んでなる組成物であって、前記カーボネートブロックが、少なくとも３の重合度を有しビスフェノールＡから誘導される構造単位を含んでおり、前記アリーレートブロックが、少なくとも４の重合度を有し非置換レゾルシノールおよびイソフタレート対テレフタレートの比が０．２５〜４．０：１のイソフタレート残基とテレフタレート残基の混合物から誘導される構造単位を含んでいる、前記組成物。
【請求項２９】  請求項１８記載の組成物から製造される物品。
【請求項３０】  自動車、トラック、軍用車、農業用車両、または自動二輪車の外装もしくは内装部品、パネル、クォーターパネル、ロッカーパネル、トリム、フェンダー、ドア、デッキリッド、トランクカバー、フード、ボンネット、屋根、バンパ、ファシア、グリル、ミラーハウジング、ピラーアップリケ、外被、車体側面モールディング、ホイールカバー、ハブキャップ、ドアハンドル、スポイラ、ウインドフレーム、ヘッドライト表縁、ヘッドライト、テールランプ、テールランプハウジング、テールランプ表縁、ナンバープレートエンクロージャ、ルーフラックもしくは踏板、屋外車両もしくは機器、電気機器もしくは通信機器、ネットワークインターフェイスデバイスのエンクロージャ、ハウジング、パネル、パーツもしくはトリム、屋外用備品、航空機、ボートもしくは舶用機器、船外モータ、音響測深機、個人用ウォータークラフト、ジェットスキー、プール、温泉、ホットタブ、ステップ、もしくはステップカバー、現金自動預入支払機（ＡＴＭ）芝もしくはガーデン用トラクタ、芝刈り機、工具、スポーツ用設備もしくは玩具、スノーモービル、レクリエーショナル・ビークル（ＲＶ）、ゴルフコースマーカー、もしくは運動場設備、コンピュータ、デスクトップコンピュータ、ポータブルコンピュータ、ラップトップコンピュータ、パームヘルドコンピュータ、モニター、プリンタ、キーボード、ＦＡＸ機、コピー機、電話、携帯電話、ラジオ送信機、ラジオ受信機、メータ、アンテナ、照明設備、照明器具、変圧器、エアコンディショナーのエンクロージャ、ハウジング、パネル、パーツもしくはトリム、建築もしくは建設、窓ガラスのはめ込み、屋根葺き、窓、窓の縁、床、壁パネル、ドア、ドアの枠飾り、装飾用窓の取付けもしくは処理に用いる物品、写真、絵画、ポスター、もしくは展示品用の処理済ガラスカバー、保護グラフィック、屋外もしくは屋内の標識、プラスチック−木材の組合せでできた物品、ユーティリティピットカバー、公共輸送用の外被もしくはシート、列車、地下鉄もしくはバスの外被もしくはシート、サテライトアンテナの外被、被覆ヘルメットもしくは個人用保護備品、被覆合成もしくは天然布地、被覆写真フィルムまたは写真プリント、被覆塗装物品、被覆染色物品、被覆蛍光物品、または被覆フォーム物品である、請求項２９記載の物品。
【請求項３１】  （Ａ）アルカリ性条件下で少なくとも１種の１，３−ジヒドロキシベンゼン分子部分と少なくとも１種の芳香族ジカルボン酸二塩化物との反応によって少なくとも４の重合度を有するヒドロキシで末端停止したポリエステル中間体を製造し、
（Ｂ）前記ポリエステル中間体をカーボネート前駆体と反応させる工程を含んでなる、ブロックコポリエステルカーボネートの製造方法。
【請求項３２】  反応混合物からコポリエステルカーボネートを回収する、請求項３１記載の方法。
【請求項３３】  工程Ａで少なくとも１種の１，３−ジヒドロキシベンゼン分子部分対ジカルボン酸二塩化物のモル比が１．０１〜１．９０：１の範囲である、請求項３１記載の方法。
【請求項３４】  工程Ａで少なくとも１種の１，３−ジヒドロキシベンゼン分子部分対ジカルボン酸二塩化物のモル比が１．０１〜１．２５：１の範囲である、請求項３１記載の方法。
【請求項３５】  工程Ａの１，３−ジヒドロキシベンゼン分子部分が置換されていないレゾルシノールまたは置換されているレゾルシノールの少なくとも１種であり、ジカルボン酸二塩化物がイソフタロイルジクロリド、テレフタロイルジクロリドまたはこれらの混合物である、請求項３１記載の方法。
【請求項３６】  １，３−ジヒドロキシベンゼン分子部分が非置換レゾルシノールであり、ジカルボン酸二塩化物がイソフタロイルジクロリドとテレフタロイルジクロリドの混合物である、請求項３５記載の方法。
【請求項３７】  イソフタロイルジクロリド対テレフタロイルジクロリドのモル比が０．２５〜４．０：１の範囲である、請求項３６記載の方法。
【請求項３８】  工程Ｂの反応を、ヒドロキシで末端停止したポリエステル中間体とは異なる少なくとも１種の有機ジヒドロキシ化合物の存在下で実施する、請求項３１記載の方法。
【請求項３９】  少なくとも１種の有機ジヒドロキシ化合物が工程Ａの少なくとも１種の１，３−ジヒドロキシベンゼン分子部分と同じである、請求項３８記載の方法。
【請求項４０】  少なくとも１種の有機ジヒドロキシ化合物が非置換レゾルシノールである、請求項３９記載の方法。
【請求項４１】  少なくとも１種の有機ジヒドロキシ化合物が工程Ａの１，３−ジヒドロキシベンゼン分子部分とは異なる、請求項３８記載の方法。
【請求項４２】  少なくとも１種の有機ジヒドロキシ化合物がビスフェノールＡである、請求項４１記載の方法。
【請求項４３】  少なくとも１種のポリカーボネートホモポリマーを、コポリエステルカーボネートの存在下で、またはそれと同時に製造する、請求項４１記載の方法。
【請求項４４】  少なくとも１種の有機ジヒドロキシ化合物がビスフェノールＡである、請求項４３記載の方法。
【請求項４５】  工程Ｂの反応を有機ジヒドロキシ化合物の混合物の存在下で行い、そのうちの少なくとも１種が工程Ａの１，３−ジヒドロキシベンゼン分子部分と同じであり、少なくとも１種がその分子部分とは異なる、請求項３８記載の方法。
【請求項４６】  有機ジヒドロキシ化合物の混合物が非置換レゾルシノールとビスフェノールＡとから成る、請求項４５記載の方法。
【請求項４７】  カーボネート前駆体がホスゲンである、請求項３１記載の方法。
【請求項４８】  工程ＡとＢの両方を水性相と水不混和性有機溶媒とを含む２相系で実施する、請求項３１記載の方法。
【請求項４９】  工程ＢでｐＨを反応の最初は４〜９の範囲に維持し、反応の後半において１０〜１３に増大させる、請求項３１記載の方法。
【請求項５０】  （Ａ）非置換レゾルシノールと、イソフタロイル対テレフタロイルの比が０．２５〜４．０：１であるイソフタロイルジクロリドとテレフタロイルジクロリドの混合物との反応によって少なくとも４の重合度を有するヒドロキシで末端停止したポリエステル中間体を製造し、
（Ｂ）前記ポリエステル中間体を、水性相とジクロロメタンとを含む２相系でビスフェノールＡの存在下でホスゲンと反応させることを含んでなる、ブロックコポリエステルカーボネートの製造方法。
【請求項５１】  請求項３１記載の方法に従って製造されるコポリエステルカーボネート。
【請求項５２】  請求項４２記載の方法に従って製造されるコポリエステルカーボネート。
【請求項５３】  請求項４６記載の方法に従って製造されるコポリエステルカーボネート。
【請求項５４】  請求項４４記載の方法に従って製造される、コポリエステルカーボネートとポリカーボネートホモポリマーのブレンド。